(57)【要約】      （修正有）【課題】電子製品保護カバー装置を提供する。【解決手段】底板２及び蓋板３を有し、底板２の一側及び蓋板３の一側が連結しており、電子製品１を底板２の上に据えて、蓋板３が電子製品１を覆う電子製品保護カバー装置であって、電子製品１及び底板２接触面がスライドレール部品によって連結されることを特徴とする。この電子製品保護カバー装置は、構造が簡単で、電子製品と保護カバー装置の底板の間がスライドレール部品によって連結されるので、操作が便利で、従来技術の課題を避けられる。【選択図】図１
0003220786.tif 000002
【実用新案登録請求の範囲】
【請求項１】
底板及び蓋板を有し、
前記底板の一側と前記蓋板の一側が連結されており、
電子製品を前記底板の上に据えて、
前記蓋板が前記電子製品を覆う電子製品保護カバー装置であって、
前記電子製品と前記底板の接触面がスライドレール部品によって連結されることを特徴とする、電子製品保護カバー装置。
【請求項２】
前記スライドレール部品は、
前記底板における前記電子製品の据置面に設置するガイドレール係合部と、
前記電子製品における前記底板との接触面に設置するガイドレール溝を有し、
前記ガイドレール係合部が前記ガイドレール溝に対応し、
前記電子製品を前記底板に沿って移動させると、
前記ガイドレール係合部が前記ガイドレール溝内にスライドし挿入されることを特徴とする、
請求項１に記載の電子製品保護カバー装置。
【請求項３】
前記ガイドレール溝は、前記電子製品の底面に設置され、且つ前記電子製品の長さの方向に沿って延設されることを特徴とする、請求項２に記載の電子製品保護カバー装置。
【請求項４】
前記ガイドレール係合部は、前記底板の長さの方向に沿って配設され、前記底板と前記蓋板とを連結する側である一側に寄ることを特徴とする、請求項２に記載の電子製品保護カバー装置。
【請求項５】
前記電子製品と前記底板の間にロック部品が更に設置され、
前記ガイドレール係合部が前記ガイドレール溝内に挿入された後、前記電子製品と前記底板は前記ロック部品によってロックされることを特徴とする、請求項２に記載の電子製品保護カバー装置。
【請求項６】
前記ロック部品は、
前記ガイドレール溝の一側、又は前記ガイドレール溝内に設置される弾性構造、及び
前記ガイドレール係合部に設置される取付穴を有し、
前記ガイドレール係合部を前記ガイドレール溝に沿ってスライドして前記電子製品を前記底板に据えた後、前記弾性構造を前記取付穴に引っ掛けることを特徴とする、請求項５に記載の電子製品保護カバー装置。
【請求項７】
前記弾性構造は、「Ｖ」型弾性部、及び前記「Ｖ」型弾性部の両側で連結する弾性連結部を有し、
前記弾性連結部が前記弾性構造によって前記電子製品に固定され、
前記「Ｖ」型弾性部の突出部が前記ガイドレール溝に向かうことを特徴とする、
請求項６に記載の電子製品保護カバー装置。
【考案の詳細な説明】
【技術分野】
【０００１】
本実用新案は、電子設備設計の技術分野に関し、具体的には、電子製品保護カバー装置に関する。
【背景技術】
【０００２】
電子製品が発展及び普及するに連れて、携帯電話又はタブレット／電子ブックリーダー等の電子製品が徐々に人々の生活の中に入ってきた。現在、電子製品本体と保護カバーとを装着固定する方法として、プラスチック製底ケースを使用し本体の周囲及び側面を囲む、もしくはその四隅で本体を固定する方法が主に採用されている。電子製品本体と、保護カバー底板上のプラスチック製底ケース及び保護カバー蓋板／保護カバー底板とを合わせると、結構な厚さになるため、装着した後は、全体としてより厚く重くなる。また、プラスチック製底ケースの突出固定面によって電子製品本体を引っ掛けるため、装着が不便であり、電子製品の外側の塗装の剥がれがおこりやすい。
【考案の概要】
【考案が解決しようとする課題】
【０００３】
前記背景技術の課題に対し、本実用新案は、底板及び蓋板を有し、前記底板の一側と前記蓋板の一側が連結されしおり、電子製品を前記底板の上に据えて、前記蓋板が前記電子製品を覆う電子製品保護カバー装置であって、前記電子製品と前記底板の接触面がスライドレール部品により連結されることを特徴とする、電子製品保護カバー装置を提供する。
【０００４】
一つの態様として、前記スライドレール部品は、
前記底板における前記電子製品の据置面に設置するガイドレール係合部と、
前記電子製品における前記底板との接触面に設置するガイドレール溝を有し、
前記ガイドレール係合部が前記ガイドレール溝に対応し、前記電子製品を前記底板に沿って移動させると、前記ガイドレール係合部が前記ガイドレール溝内にスライドし挿入される。
【０００５】
一つの態様として、前記ガイドレール溝が前記電子製品の底面に設置され、且つ前記電子製品の長さの方向に沿って延設する。
【０００６】
一つの態様として、前記ガイドレール係合部が前記底板の長さの方向に沿って配設され、且つ前記底板と前記蓋板とを連結する側である一側に寄る。
【０００７】
一つの態様として、前記電子製品と前記底板の間にロック部品が更に設置され、前記ガイドレール係合部が前記ガイドレール溝内に挿入された後、前記電子製品と前記底板は前記ロック部品によってロックされる。
【０００８】
一つの態様として、前記ロック部品は、
前記ガイドレール溝の一側、又は前記ガイドレール溝内に設置する弾性構造、及び
前記ガイドレール係合部に設置される取付穴を有し、
前記ガイドレール係合部を前記ガイドレール溝に沿ってスライドして前記電子製品を前記底板に据えた後、前記弾性構造が前記取付穴に引っ掛かる。
【０００９】
一つの態様として、前記弾性構造は、「Ｖ」型弾性部、及び前記「Ｖ」型弾性部の両側で連結する弾性連結部を有する。前記弾性連結部が前記弾性構造によって前記電子製品に固定され、前記「Ｖ」型弾性部の突出部が前記ガイドレール溝に向かう。
【００１０】
従来技術と比べて、上記技術的な特徴を採用する本実用新案は、以下の利点及び效果を有する。
【００１１】
従来技術の保護カバーは、四隅で覆う為に、電子製品の塗装の剥がれ、装着が煩わしいという課題がある。本実用新案の電子製品保護カバー装置は、構造が簡単で、電子製品と保護カバー装置の底板の間がスライドレール部品によって連結されるので、操作が便利で、上記従来技術の課題を避けられる。
【００１２】
本実用新案の上記特徴及びその他の特徴、並びにその利点をより理解できるように、図面を使用して詳細に説明する。
【図面の簡単な説明】
【００１３】
【図１】保護カバー装置と電子製品とを脱着する時の分解概略図である。
【図２】電子製品と保護カバー装置とを連結する時の構造概略図である。
【図３】弾性スイッチの構造概略図である。
【考案を実施するための形態】
【００１４】
実施例の図面を参照しながら本実用新案を詳しく説明する。しかし、本実用新案は、多々異なる形式で実行でき、実施例により制限されるものではない。本実用新案を十分及び完全に開示し、当業者が本実用新案の範囲を理解できるように、これらの実施例を開示する。以下の図面では、理解し易くするために、層及びエリアのサイズ及び相対的なサイズを拡大することがある。
【００１５】
図１〜２を参照しながら説明する。本実用新案は、底板２及び蓋板３を有し、底板２の一側及び蓋板３の一側が連結され、電子製品１の底面が底板２に配置され、蓋板３が電子製品１の正面を覆う電子製品保護カバー装置であって、電子製品１及び底板２の接触面がスライドレール部品によって連結される、電子製品保護カバー装置を提供する。また、電子製品の具体例として、携帯電話、タブレット、電子ブックリーダー等の製品が挙げられるが、それらに限定されるものではない。
【００１６】
従来技術の保護カバーは、四隅で覆う為に、電子製品の塗装の剥がれ、装着が煩わしいという課題がある。本実用新案の電子製品保護カバー装置は、構造が簡単で、電子製品１と保護カバー装置の底板の間がスライドレール部品によって連結されるので、操作が便利で、上記従来技術の課題を避けられる。
【００１７】
本実施例において、底板２及び蓋板３がいずれも平板構造であり、底板２及び蓋板３の形状及びサイズが電子製品１の形状及びサイズに対応し、電子製品を覆う保護効果を擁すればよい。
【００１８】
また、底板２の一側及び蓋板３の一側が連結される。電子製品１と底板２を連結した後、蓋板３を開けることで、電子製品１の正面が覆われるか又は開放される。もちろん、他の実施例において、蓋板３の一側が底板２の一側に固定連結され、底板２と蓋板３の間に電子製品１の設置空間を残しても良い。
【００１９】
本実施例において、スライドレール部品はガイドレール係合部４及びガイドレール溝１０１を有する。ガイドレール係合部４は、底板２における電子製品１の据置面に設置され、具体的には、ガイドレール係合部４は、ホットメルト接着／接着剤接着／超音波接着等の方法によって底板２に固定される。ガイドレール溝１０１は電子製品１の底面に設置される。電子製品１の底面に溝を作ることでガイドレール溝１０１を形成する。保護カバー装置を装着する場合、ガイドレール係合部４をガイドレール溝１０１の一端に移動しガイドレール溝１０１内に挿入することで、電子製品を底板２に設置する。本実施例において、ガイドレール係合部４及びガイドレール溝１０１の組み合わせによって、電子製品１と底板２の間に装着され、装着の操作が便利である一方、ガイドレール溝内にガイドレール係合部を掛け合う方法によって、電子製品１の底面と底板２を緊密に合わせることができる。よって、電子製品と保護カバーを装着しても、余分な全体的な厚さを増加させることがないため、厚さについて無駄がなく、業界の目標である極薄タイプを達成できる。
【００２０】
また、他の実施例においては、ガイドレール溝１０１を底板２に設置し、ガイドレール係合部４を電子製品１に設置できる。この態様も本実用新案の範囲に属するが、それらに制限されない。
【００２１】
なお、ガイドレール係合部４は、底板２の長さの方向に沿って配設され、且つ底板２と蓋板３を連結する一側に寄さられる。ガイドレール溝１０１は、電子製品１の底面に設置され、ガイドレール係合部４の設置位置に対応する。ガイドレール溝１０１は、電子製品１の長さの方向に沿って延設され、且つ電子製品１の長さの方向の両端まで延伸されてそのままガイドレール溝４の挿入及び脱出用口を形成する。
【００２２】
本実施例において、電子製品１と底板２の間にロック部品を更に設置する。ガイドレール係合部４をガイドレール溝１０１内に挿入した後、電子製品１と底板２をロック部品によってロックする。それにより電子製品と保護カバーの緊密性が実現され、保護カバーの脱落を防止できる。
【００２３】
具体的には、ロック部品は、ガイドレール溝１０１の一側に設置される弾性構造５、及びガイドレール係合部４に設置される取付穴４０１を有する。保護カバー装置と電子製品を連結する場合、ガイドレール係合部４が弾性構造５を押し、ガイドレール係合部４がガイドレール溝１０１に沿ってスライドし、底板２に電子製品１をしっかりと設置すると、弾性構造５がちょうど取付穴４０１の位置まで移動する。弾性構造５は、それ自体の弾力によって取付穴４０１に引っ掛かる。本実施例のロック部品は、構造が簡単であり、操作が便利である。
【００２４】
また、図１で示すように、弾性構造５は、「Ｖ」型弾性部、及び「Ｖ」型弾性部の両側で連結する弾性連結部で構成される。弾性構造５は、その両側の弾性連結部によって電子製品１に固定される。また、「Ｖ」型弾性部の突出部はガイドレール溝１０１に向かう。
【００２５】
もちろん、他の実施例において、弾性構造はガイドレール溝１０１内、又はガイドレール係合部に設置できる。もちろん、弾性構造をガイドレール係合部に設置する場合、対応する取付穴をガイドレール溝に設置する。なお、弾性構造は、バネ、板バネ、又は図３で示すような弾性スイッチ等の構造であってもよい。ロック部品の具体的な構造及び設置位置は上記内容に制限されず、必要により調整できる。
【００２６】
本実用新案は、その精神及び範囲を逸脱しない限り、多々その他の具体的な態様により実現できる。本明細書では、本実用新案の実施例が開示されているが、本実用新案を前記実施例に制限されるものと理解するべきではない。当業者は、請求の範囲により限定される本実用新案の精神、及びその範囲に基づいて、変化及び変更を行うことができる。
【符号の説明】
【００２７】
１  電子製品
２  底板
３  蓋板
４  ガイドレール係合部
５  弾性構造
１０１  ガイドレール溝
４０１  取付穴
【図１】
0003220786.tif 000003
【図２】
0003220786.tif 000004
【図３】
0003220786.tif 000005